(57)【特許請求の範囲】
【請求項１】
前方接触面を有する第１の本体部分と、
後部接触面を有する第２の本体部分と、
前記第１の本体部分および前記第２の本体部分の下側に沿って前記前方接触面と前記後部接触面との間に空隙領域を形成するアーチ状の輪郭と、
前記第１の本体部分と前記第２の本体部分とを回転式に連結するヒンジアセンブリであって、ヘッド部分およびテール部分を有する伸長プロフィールと、前記第１および第２の本体部分がヒンジ軸に関して折りたたまれて、前記第２の本体部分が前記第１の本体部分における前記アーチ状の輪郭により形成された前記空隙領域の中に少なくとも部分的に収容された折り曲げプロフィールとを形成するように、前記第１および第２の本体部分が前記ヒンジ軸の周りを回転可能である、ヒンジアセンブリと、
動きを検出し、前記検出した動きに応答した制御信号を出力するために、少なくとも１つのセンサを含むトラッキングアセンブリと
を備えるポインティングデバイス。
【請求項２】
トラッキングアセンブリが、前記ポインティングデバイスの動きを検出して、前記制御信号を出力する、請求項１に記載のポインティングデバイス。
【請求項３】
前記ヒンジアセンブリを付勢して折りたたんだ姿勢にするばねアセンブリをさらに備える、請求項１に記載のポインティングデバイス。
【請求項４】
前記ばねアセンブリが、前記ヒンジアセンブリを付勢して折りたたんだ姿勢にするカム面を含む、請求項２に記載のポインティングデバイス。
【請求項５】
前記ばねアセンブリが、複数のカム面を含み、前記カム面が、第１および第２の本体部分をスナップ式に閉じて閉じた姿勢にするために、第１の回転力を与える第１のカム面と、第２の回転力を有する第２のカム面とを含む、請求項４に記載のポインティングデバイス。
【請求項６】
前記第２の本体部分が、間隔をあけて配置された複数のリブを含む、請求項１に記載のポインティングデバイス。
【請求項７】
前記複数のリブがエラストマー材料から形成される、請求項６に記載のポインティングデバイス。
【請求項８】
前記第１の本体部分がヘッドまたは前方部分を形成し、前記第２の本体部分テール部分を形成し、前記トラッキングアセンブリが前方部分に配置される、請求項１に記載のポインティングデバイス。
【請求項９】
少なくとも１つのボタンまたはスクロールホイールをさらに備える、請求項１に記載のポインティングデバイス。
【請求項１０】
前記デバイス本体が、前方領域近くに傾斜したまたは角度の付いた面を含み、前記デバイスが、傾斜したまたは角度の付いた面の近くにトラッキングアセンブリのための開口部を含む、請求項１に記載のポインティングデバイス。
【請求項１１】
少なくとも１つのボタンまたはスクロールホイールをさらに備える、請求項１に記載のポインティングデバイス。
【請求項１２】
前記第１の本体部分または前記第２の本体部分が、ドングルまたは他のデバイスを着脱可能に保持するようにサイズ設定されたポケットを有する、請求項１に記載のポインティングデバイス。
【請求項１３】
前記第１の本体部分がヘッドまたは前方部分を形成し、前記第２の本体部分がテール部分を形成し、前記ポケットが前記テール部分に形成される、請求項１２に記載のポインティングデバイス。
【請求項１４】
ワイヤレス通信デバイスおよびコネクタープラグを備えたドングルと組み合わせた、請求項１２に記載のポインティングデバイス。
【請求項１５】
前記コネクタープラグがＵＳＢポートに挿入可能である、請求項１４に記載のポインティングデバイス。
【発明の詳細な説明】
【背景技術】
【０００１】
ポインティングデバイスは、パーソナルコンピューターまたはラップトップコンピューターなどのコンピューターまたは電子デバイスとのインターフェイスをとるために用いられる。ポインティングデバイス本体は、典型的には、人間工学および快適性のために設計される。本体がより大きいかまたはフルサイズのポインティングデバイスは、典型的には、サイズが小さいポインティングデバイスより快適で使いやすい。しかし、多くのラップトップまたはポータブルコンピューターデバイスでは、より大きいかまたはフルサイズのデバイスより携帯しやすい、より小さいかまたは小型のポインティングデバイスが用いられる。ポインティングデバイスのサイズが小さいとデバイスの携帯性が向上するが、サイズが小さいほど操作の簡単さおよび快適性が低下する恐れがある。
【０００２】
上記の考察は、単に、一般的な背景情報を提供したに過ぎず、請求する主題の範囲の決定を助けるものとして利用されるものではない。
【発明の概要】
【課題を解決するための手段】
【０００３】
この出願で開示する実施形態は、ポインティングデバイスに関する。開示のように、ポインティングデバイスは、前方部分および後方またはテール部分を有するように輪郭付けされた本体プロフィールを含む。開示する実施形態では、ポインティングデバイス本体は、第１の本体部分および第２の本体部分を含む。第１および第２の本体部分は、デバイスを運搬のために折りたたみデバイスを使用のために広げるように、ヒンジアセンブリを介して回転式に連結される。この出願では、運搬または保管のためのドングルまたは他のデバイスを着脱可能に保持するポケットを有するポインティングデバイスの実施形態も開示する。
【０００４】
この発明の概要は、発明を実施するための形態で以下にさらに説明する単純化した形態での概念の選択を取り入れるために提供される。この概要は、請求する主題のキーとなる機構または本質的な機構を特定するものでもなく、請求する主題の範囲の決定を助けるものとして利用されるものでもない。請求する主題は、背景技術で言及したいずれかまたは全ての欠点を解決する実装形態に限定されるものではない。
【図面の簡単な説明】
【０００５】
【図１】ポインティングデバイスおよび操作環境の実施形態の概略図である。
【図２】ワイヤレスポインティングデバイスおよび操作環境の実施形態の概略図である。
【図３】本体の輪郭がアーチ状のポインティングデバイスの実施形態である。
【図４】複数の本体部分が回転式に連結した折りたたみ式ポインティングデバイスの実施形態である。
【図５】展開または伸長プロフィールを有する折りたたみ式ポインティングデバイスの実施形態を例示する。
【図６】クリップを形成するように構成された折りたたみ式ポインティングデバイスの実施形態である。
【図７】カムアセンブリを含むヒンジアセンブリの実施形態を例示する。
【図８】複数のカム面を含むカムブロックの実施形態を例示する。
【図９】ドングルまたは他のデバイスを着脱可能に保持するためにポケットを含む折りたたみ式ポインティングデバイスの他の実施形態を例示する。
【図１０】ドングルまたは他のデバイスを着脱可能に保持するためにポケットを含む折りたたみ式ポインティングデバイスの他の実施形態を例示する。
【発明を実施するための形態】
【０００６】
ポインティングデバイスまたはマウスにより、ユーザーは、グラフィカル・ユーザー・インターフェイスを有するパーソナルコンピューター、ポータブルコンピューターまたは他の電子デバイスなどのコンピューターデバイス上のアプリケーションまたはプログラムとのインターフェイスをとることが可能である。図１に、ポインティングデバイス１００−１の実施形態を概略的に例示する。そのポインティングデバイス１００−１は、コンピューターまたは他の電子デバイス１０３のグラフィカルディスプレイ１０２上のグラフィカル・ユーザー・インターフェイスとのインターフェイスをとるように構成される。例示の実施形態では、ポインティングデバイス１００−１はトラッキングアセンブリ１０４を含む。そのトラッキングアセンブリ１０４は、グラフィカルディスプレイ１０２上のオブジェクトの位置を制御するように構成される。例示としては、オブジェクトは、図１に示すようなポインターまたはカーソル１０６である。あるいは、オブジェクトは、電子ゲーム用のゲームオブジェクトである。
【０００７】
トラッキングアセンブリ１０４は、動きを検出し、検出した動きに比例した制御信号を出力するように構成される。その制御信号は、ポインティングデバイス１００−１からの入力に応答してグラフィカルディスプレイ１０２上のオブジェクトあるいはカーソルまたはポインター１０６を位置決めするように、グラフィカル・ユーザー・インターフェイス・コンポーネント１０８によって処理される。
【０００８】
例示の実施形態では、トラッキングアセンブリ１０４は、１つまたは複数のセンサ素子（図１では図示せず）を含み、そのセンサ素子は、基準位置に対するポインティングデバイスの多軸の動きを検出する。例示のセンサ素子は、ローラーボールなどの機械センサ素子、発光ダイオードまたはフォトダイオードなどの光学式センサ素子、あるいはデバイスの動きを検出するために赤外線レーザーを用いるレーザーセンサ素子を含む。例示の実施形態の適用例は、図１に示す特定の実施形態にも、説明した特定のセンサ素子にも限定されない。
【０００９】
図１に示すように、例示の実施形態では、ポインティングデバイス１００−１は、グラフィカルディスプレイ１０２上の様々な機能または機構を選択するかまたはアクティブにするために１つまたは複数の機能ボタン１１０を含む。それらの機能または機構は、グラフィカル・ユーザー・インターフェイスのアイコンまたは入力１１２を通して選択される。ポインターまたはカーソル１０６を所望の機能または機構に対応する特定のアイコンまたは入力１１２に対して位置決めすることによって機能をアクティブにするかまたは選択する。
【００１０】
ポインターまたはカーソル１０６が所望のアイコンまたは入力１１２上に位置決めされると、ユーザーがボタン１１０を押して、選択した特定のアイコンまたは入力１１２に対応する機能をアクティブにする。１つまたは複数のボタン１１０の作動の際には、デバイスは制御信号を出力し、その制御信号は、選択したアプリケーション機能または機構をアクティブにするかまたは呼び出すように、グラフィカル・ユーザー・インターフェイス・コンポーネント１０８によって処理される。
【００１１】
こうした例示のデバイスはスクロールホイール１１４も含む。スクロールホイール１１４は、一次元入力を行うために１つの軸の周りを回転可能であり、例示としては、グラフィカルディスプレイ１０２のアクティブディスプレイエレメント１１６をスクロールするために用いられる。例示のディスプレイエレメント１１６は、限定されないが、テキストドキュメント、ＨＴＭＬドキュメントまたはＷｅｂページを含む。図１にポインティングデバイスの特定の構成を例示するが、適用例は、図１に例示したボタンまたはコンポーネントをそれぞれ含むポインティングデバイスに限定されるものではない。
【００１２】
例示の実施形態では、ポインティングデバイスは、ポインティングデバイス１００−１の回路にケーブル１２０を介して接続されるかまたはハードワイヤードされたグラフィカル・ユーザー・インターフェイス・コンポーネント１０８と通信する。ケーブル１２０は、コンピューターデバイス上のコネクターポート１２４中に挿入可能なコネクタープラグ１２２（概略的に例示する）を介してコンピューターまたは電子デバイス１０３に接続される。ケーブル接続を図１に例示するが、適用例は、ケーブル接続を介してコンピューターデバイス１０３に結合されたポインティングデバイスに限定されるものではない。
【００１３】
例えば、図２に示す代替の実施形態では、ポインティングデバイス１００−２は、ワイヤレスインターフェイスを通してコンピューターまたは電子デバイス１０３と通信する。ワイヤレスインターフェイスは、ポインターデバイス１００−２に結合または接続されたワイヤレス通信デバイス１３０と、コンピューターデバイス１０３に結合されたワイヤレス通信デバイス１３２とを含む。ポインティングデバイス１００−２からの出力は、ワイヤレス通信デバイス１３０を介して伝達されて、周知の通信プロトコルを介してコンピューターデバイス１０３上のワイヤレス通信デバイス１３２に至る。例示としては、ワイヤレス通信デバイスは、ＲＦ通信プロトコルまたは他の通信プロトコルを利用することができる。伝達された出力は、グラフィカルディスプレイ１０２を通してユーザーインターフェイスに提供されるように、グラフィカル・ユーザー・インターフェイス・コンポーネント１０８によって処理される。
【００１４】
図３に、ポインティングデバイス１００−３の実施形態を例示する。そのポインティングデバイス１００−３は、上記で説明したようにグラフィカルディスプレイ１０２上でカーソルまたはポインター１０６あるいは他のオブジェクトの位置を制御するために、操作面１４０に沿って動かされる。図示の実施形態では、デバイスは、ポインティングデバイスを把持して操作面１４０に沿ってポインティングデバイス１００−３を動かすために、アーチ状に輪郭付けされた本体１４２を有する。図示の実施形態では、ポインティングデバイスの動きは、トラッキングアセンブリ１０４によって検出され、検出した動きに応答してカーソルまたはポインター１０６または他のオブジェクトを位置決めするように、グラフィカル・ユーザー・インターフェイス・コンポーネント１０８によって処理される。例示の実施形態では、ポインティングデバイス１００−３を動かしてカーソルまたはポインター１０６の位置を制御するが、本明細書で説明する例示の実施形態の適用例は、カーソルまたはポインター１０６の位置の制御のためのポインティングデバイスの動きに必ずしも限定されるものではない。
【００１５】
図３に示すように、ポインティングデバイス１００−３の輪郭付けされた本体１４２は、前方部分またはヘッド部分１４４および後方テール部分１４６を含む。前方部分１４４は前方接触面１４８を含み、後方またはテール部分１４６は後方接触面１５０を含む。図示のように、アーチ状に輪郭付けされた本体１４２は、前方部分１４４と後方またはテール部分１４６との間にアーチ部分１５２を設ける。アーチ部分１５２は、空隙領域１５４を形成するように前方および後方接触面１４８、１５０より高くなっている。その空隙領域１５４は、ポインティングデバイスを持ち上げかつ／または位置決めするためにユーザーがポインティングデバイス本体の下側を把持するための空間を設ける。
【００１６】
使用中には、ユーザーの手のひらは、テール部分１４６の表面上で支持され、ユーザーの指は、ポインティングデバイスの前方またはヘッド部分１４４の近くに位置決めされる。概略的に示すように、例示の実施形態では、トラッキングアセンブリ１０４は、グラフィカルディスプレイ１０２上のカーソルまたはポインター１０６の位置を制御するために動きを検出するようにポインティングデバイスの前方接触面１４８の近くに位置する。
【００１７】
サイズが大きいポインティングデバイスは、本体の前方部分と後方部分との間により大きい空間をもたらし、そのためユーザーは快適に手を支持するのに十分な空間を有する。例示の実施形態では、本体のアーチ状の輪郭によって形成された空隙領域１５４は、人間工学的な快適さおよび使いやすさのための、ユーザーがデバイスを把持する空間を設ける。アーチ状の輪郭により、所望の人間工学的性能のための十分な長さおよびサイズをもたらしながら、しかもデバイスの大きさまたは重さが低減される。例示の実施形態では、ポインティングデバイス１００−３は、図１〜図２に上記で説明したアクティブディスプレイエレメント１１６をスクロールするために、スクロールホイール１１４を含む。トラッキングアセンブリ１０４およびスクロールホイール１１４のコンポーネントを含むデバイス１００−３の操作用コンポーネントは、デバイスの本体１４２内の１つまたは複数の内部コンパートメントに収容される。さらに、例示の実施形態では、デバイスは、電子デバイスのグラフィカル・ユーザー・インターフェイス・コンポーネント１０８または他の機能によって生成されたグラフィカルディスプレイ１０２とのインターフェイスをとるために、１つまたは複数のボタン１１０または他の入力キーを含む。
【００１８】
図示のように、本体のアーチ状の輪郭により、ユーザーがデバイスをユーザーの手で覆い、もたれ、グラフィカルディスプレイ１０２上のコンテンツをスクロールするかまたはめくることが可能になる。具体的には、空隙領域１５４は、凹形の空間を形成しており、その結果操作面１４０またはデスクトップから離れた位置でユーザーがデバイスを持ち上げ、デバイスを操作することができる。例えば、ユーザーは、デバイスを把持して、１つまたは複数のボタンあるいはスクロールホイールをユーザーの親指で操作することができる。
【００１９】
図４に、ポインティングデバイス１００−４の実施形態を例示する。そのポインティングデバイス１００−４は、携帯するために折りたたまれ、人間工学的性能のための所望のサイズまたは占有面積をもたらすために展開される。図示のように、例示のポインティングデバイス１００−４は、第１の本体部分１６０と、第２の本体部分１６２と、第１の本体部分１６０と第２の本体部分１６２とを枢動式に連結するヒンジアセンブリ１６４とを含む。図示のように、ヒンジアセンブリ１６４により、デバイスを折りたたんで図４に示す折り曲げプロフィールにしデバイスを広げて図３に概略的に示す伸長またはフルサイズプロフィールにするように、ヒンジ軸１６６周りの回転が可能になる。
【００２０】
例示の実施形態では、ヒンジアセンブリ１６４は、回転ヒンジ要素１７０および静止ヒンジ要素１７６を含むが、適用例は、図示した特定のヒンジアセンブリに限定されるものではない。回転ヒンジ要素１７０は、使用のためにデバイスを広げるかまたは展開するように、静止ヒンジ要素１７２に関して回転する。例示の実施形態では、回転ヒンジ要素１７０は、弓形の進路に沿って約１８０度回転して、第１および第２の本体部分１６０、１６２を広げて、フルサイズまたは展開サイズのデバイスを形成する。使用後は、ユーザーは、ヒンジアセンブリ１６４を回転してデバイスを折り曲げて、運搬のためのより小さいプロフィールおよびサイズにすることができる。
【００２１】
図４に例示する実施形態では、第１および第２の本体部分１６０、１６２は、図３に関して上記で説明したような前方および後方接触面を有する前方および後方部分とアーチ部分とを形成するように輪郭付けされる。具体的には、図示の特定の実施形態では、第１の本体部分１６０は、傾斜しているかまたは角度の付いた先端面１８０と、中間面１８２と、ヒンジアセンブリ１６４に向かって内側に角度が付いた後部面１８４とを形成するように輪郭付けされる。前方接触面は、角度の付いた先端面１８０の近くに形成される。例示の実施形態では、トラッキングアセンブリ１０４のセンサ素子（図４に図示せず）は、上記で説明したように動きを検出する入力を提供するために、角度の付いた先端面１８０の近くに位置する。
【００２２】
図５に、折りたたみ式ポインティングデバイス１００−５の代替の実施形態を例示する。その折りたたみ式ポインティングデバイス１００−５は、図４と同様の第１および第２の本体部分１９０、１９２ならびにヒンジアセンブリ１９４を含む。例示の実施形態では、第１の本体部分１９０は、図示のように傾斜した先端面１９６および傾斜した後部面１９８を含む。傾斜した先端面１９６は、細長いフット部２００を含み、その細長いフット部２００は、デバイスのための前方接触面を形成する。フット部２００は、デバイス本体に取り付けられる。フット部２００は、当業者に理解されるように、操作面１４０に沿ってデバイスが移動または摺動することが可能になるように、操作面１４０に対する摩擦係数が比較的低い材料から形成される。
【００２３】
傾斜した先端面１９６はまた、トラッキングアセンブリ１０４のセンサ素子が動きを検出するために、開口部２０２も含む。傾斜した後部面１９８はドアパネル２０４を含み、そのドアパネル２０４は、ワイヤレスデバイスのバッテリーコンパートメントまたは他の内部コンパートメントにアクセスするためにデバイス本体に連結される。第２の本体部分１９２は、後方テール部分を形成し、隆起した端部面２０６を含み、その隆起した端部面２０６は、デバイスの後部接触面を形成する細長いフット部２０８を有する。
【００２４】
図６に、折りたたみ式ポインティングデバイス１００−６の実施形態を例示する。その折りたたみ式ポインティングデバイス１００−６は、運搬のためのポータブルコンピューター、かばん、ブリーフケースまたは他の製品にクリップ留めするように構成される。デバイス１００−６は、デバイスの前方および後方部分を形成するように、第１の本体部分２１０と、第２の本体部分２１２と、第１の本体部分２１０と第２の本体部分２１２とを連結するヒンジアセンブリ（図６に図示せず）とを含む。例示の実施形態では、デバイス１００−６はまた、テールまたは第２の本体部分２１２を付勢して折りたたんだ姿勢にして、運搬のためのポータブルコンピューターまたは他の製品にデバイスをクリップ留めするために、ばねアセンブリ２１４または他のデバイスも含む。
【００２５】
さらに、テール部分２１２は、デバイスを製品にクリップ留めするための把持面を設けるために複数のリブ２１６を含む。それらリブ２１６は、ポインティングデバイスがクリップ留めされた製品またはデバイスを把持するのに十分に高い摩擦をもたらすエラストマー材料または他の材料から形成される。図６はばねアセンブリ２１４を含むが、他のデバイスを利用して、第１および第２の本体部分２１０、２１２を付勢して、クリップ留めされた閉じた姿勢にすることができる。
【００２６】
図７に、ヒンジアセンブリをクリップ留めまたは閉じた姿勢に付勢するばねアセンブリ２１４の実施形態を例示する。例示の実施形態では、ばねアセンブリ２１４はカムアセンブリを含み、そのカムアセンブリは、回転ヒンジ要素１７０中に配置されたカムブロック２１８およびばね２１９を含む。図示のように、カムブロック２１８は、カムフォロワー２１９とかみ合い、そのカムフォロワー２１９は、静止ヒンジ要素１７２内で回転可能なスピンドルロッド２２０に結合している。
【００２７】
カムブロック２１８の輪郭は、回転力を、カムフォロワー２１９を介してスピンドルロッド２２２に伝えて、回転ヒンジ要素１７０を静止ヒンジ要素１７２に対して回転させるようになっている。カムブロック２１８は、ばね２１９によってカムフォロワー２１９に向かって付勢される。スピンドルロッド２２０の長手方向の動きは、プレート２２２によって制限される。カムブロック２１８は、少なくとも１つのカム面を含み、そのカム面は、ばね２１９を介して回転力またはトルクをスピンドルロッド２２２に与え、ヒンジアセンブリを付勢して折りたたんだ姿勢になり、クリップを形成する。
【００２８】
図８に示す例示の実施形態では、カムアセンブリのカムブロック２１８は、異なるトルクまたは回転をスピンドルロッド２２０に与えるように、複数のカム面２２４を含む。具体的には、例示の実施形態では、カムブロック２１８は、第１の回転力またはトルクを与える第１のカム面２２６と、第２の回転力またはトルクを与える第２のカム面２２８とを含む。それらカム面２２６、２２８は、デバイスの本体部分が最初はゆっくりと回転しある特定の点の後でスナップ式に閉じるように向けられる。
【００２９】
例えば、例示の実施形態では、第１のカム面２２６は、弓形の進路に沿った０〜１３０度の回転を制御する。第２のカム面２２８は、弓形に沿った１３０〜１８０度の回転を制御し、その結果、テールまたは第２の本体部分が弓形の進路に沿った特定の位置に達するとポインティングデバイスがスナップ式に閉じる。特定の例を挙げたが、適用例は、説明した特定の例または説明したように複数のカム面を含むカムアセンブリに限定されるものではない。
【００３０】
上記で説明したように、ポインティングデバイスのいくつかの実施形態は、ケーブルまたは他の有線の接続によってコンピューターデバイスのグラフィカル・ユーザー・インターフェイス・コンポーネント１０８とのインターフェイスをとることができる。有線のデバイスは、ケーブルまたは有線の接続によってコンピューターまたは電子デバイス１０３の電源から電力を供給される。上記で説明したように、代替の実施形態では、デバイスは、ワイヤレスインターフェイスを通して通信する。典型的には、ワイヤレスポインティングデバイスは、デバイスのバッテリーコンパートメント中に配置された１つまたは複数のバッテリーによって電力を供給される。
【００３１】
図９〜図１０に、ポインティングデバイス１００−９の例示の実施形態を示す。そのポインティングデバイス１００−９は、ワイヤレスインターフェイスを通してグラフィカル・ユーザー・インターフェイス・コンポーネント１０８に入力を行う。図示のように、ポインティングデバイス１００−９は、第１の本体部分２３０と、第２の本体部分２３２と、第１の本体部分２３０を第２の本体部分２３２に回転式に連結するヒンジアセンブリ２３４とを含む。第１の本体部分２３０は、前方またはヘッド部分を形成し、第２の本体部分２３２は、デバイスのテール部分を形成する。例示の実施形態では、第１の本体部分２３０は、バッテリーコンパートメント（図示せず）にアクセスするために、ドアまたはパネル２３６を含む。第１の本体部分２３０はまた、上記で説明したようなトラッキングアセンブリ１０４のセンサ素子用の開口部２３８も含む。
【００３２】
例示の実施形態では、ポインティングデバイス１００−９はまた、ドングルまたは他のデバイス２４２を着脱可能に保持するようにサイズ設定されたくぼんだポケット２４０も含む。例示の実施形態では、ポケット２４０は、テール部分に形成される。ドングルまたは他のデバイス２４２は、ユニバーサルシリアルバス「ＵＳＢ」ポートコネクタープラグ２４４と、ポインティングデバイス１００−９からの入力信号を受信するように構成されたワイヤレス通信デバイス２４６とを含む。
【００３３】
使用の場合には、コネクタープラグ２４４は、グラフィカル・ユーザー・インターフェイス・コンポーネント１０８とのインターフェイスをとるように、コンピューティングデバイスのＵＳＢまたは他の通信ポート中にプラグ接続する。ポインティングデバイス１００−９からの制御信号は、ポインティングデバイス上のワイヤレス通信デバイスまたはトランスミッターを通して、ドングルまたは他のデバイス２４２のワイヤレス通信デバイス２４６に伝達される。ドングルまたは他のデバイス２４２のワイヤレス通信デバイス２４６で受信された制御信号は、グラフィカルディスプレイ上のグラフィカル・ユーザー・インターフェイスとのインターフェイスをとるように、グラフィカル・ユーザー・インターフェイス・コンポーネント１０８によって処理される。
【００３４】
構造上の機構および／または方法論的作用に特有の言葉で主題を説明してきたが、添付の特許請求の範囲で定義される主題は、上記で説明した特定の機構または作用に必ずしも限定されるものではないことを理解されたい。そうではなく、上記で説明した特定の機構および作用は、請求項を実装する例示の形態として説明される。
【図１】
0005437244.tif 000002
【図２】
0005437244.tif 000003
【図３】
0005437244.tif 000004
【図４】
0005437244.tif 000005
【図５】
0005437244.tif 000006
【図６】
0005437244.tif 000007
【図７】
0005437244.tif 000008
【図８】
0005437244.tif 000009
【図９】
0005437244.tif 000010
【図１０】
0005437244.tif 000011